(57)【要約】【課題】下部筐体の上部壁部が湾曲していると、丸穴に嵌合するボスが鉛直方向に対して傾斜した状態で備えられることになる。そのため、上部筐体の内側底部に形成されたレールが曲がってしまうという課題がある。【解決手段】レール２１の延設方向Ｄ２において、中央部に位置するボス４６とボス４６の横に位置するボス４７，４８とを外側底部２３に設けた上部筐体２と、上部壁部３３と側壁部３４，３５とを有し、延設方向Ｄ２において、中央部に位置する長穴３０と長穴３０の横に位置する長穴３１，３２とを上部壁部３３に設けた下部筐体３とを備え、ボス４６が長穴３０に挿入することによって下部筐体３に対する延設方向Ｄ２における上部筐体２の位置が固定され、ボス４７，４８が長穴３１，３２に挿入することによって下部筐体３に対する延設方向Ｄ２と交わる方向における上部筐体２の位置が固定される複合機を提供する。【選択図】図８
2012244325.tif 000002
【特許請求の範囲】
【請求項１】
原稿台に載置された原稿を読み取る読取ヘッドが摺動するレールを内側底部に設け、前記レールの延設方向において、中央部に位置する第１の突起部と前記第１の突起部の横に位置する第２の突起部とを外側底部に設けた上部筐体と、
上部壁部と前記上部壁部の前記延設方向における両端部に設けられた側壁部とを有し、前記延設方向において、中央部に位置する第１の穴と前記第１の穴の横に位置する第２の穴とを前記上部壁部に設けた下部筐体とを備え、
前記第１の突起部が前記第１の穴に挿入することによって前記下部筐体に対する前記延設方向における前記上部筐体の位置が固定され、前記第２の突起部が前記第２の穴に挿入することによって前記下部筐体に対する前記延設方向と交わる方向における前記上部筐体の位置が固定されることを特徴とする複合機。
【請求項２】
請求項１に記載の複合機であって、
前記第１の穴は前記延設方向と交わる方向に長い長穴であり、前記第２の穴は前記延設方向に長い長穴であり、前記第２の穴は前記第１の穴の前記延設方向における両側に備えられることを特徴とする複合機。
【請求項３】
請求項１に記載の複合機であって、
前記第１の突起部は円柱形状であり、前記第１の穴は前記第１の突起部が嵌合する丸穴であり、前記第２の穴は前記延設方向に長い長穴であることを特徴とする複合機。
【請求項４】
請求項１から請求項３のいずれか一項に記載の複合機であって、
前記第１の突起部と前記第２の突起部とは、前記延設方向と交わる方向において前記レールから離れた位置に設けられることを特徴とする複合機。
【発明の詳細な説明】
【技術分野】
【０００１】
本発明は、複合機に関する。
【背景技術】
【０００２】
用紙に文字や画像を記録する記録装置の上に、原稿に描かれた画像を読み取る読取装置を重ねて配置した複合機が知られている。このような複合機では、記録装置を収容した下部筐体に対して読取装置を収容した上部筐体の位置がずれてしまうと、複合機として組み立てられた装置の側面に段差が生じる場合がある。
例えば、特許文献１では、開閉リンクとしてのヒンジを備えることによって、読取装置である読取部を回動させて、記録ヘッドを有する記録装置である記録部の内部を露出し、ユーザーによるインクカートリッジの交換や詰まった記録用紙を取り除く等の保守作業を容易にするとともに、記録装置が収容された下部筐体に対して、読取装置が収容された上部筐体の位置精度を維持している。
複合機の正面側に開口部を設けることにより、読取装置を収容した上部筐体を回動させることなく、開口部から、記録装置のインクカートリッジを交換したり、記録装置に詰まった記録用紙を取り除いたりするように構成した複合機が考えられる。このような複合機では、下部筐体の上部壁部に上部筐体の下部壁部を当接させ、下部筐体に対する上部筐体の位置を固定する。
【先行技術文献】
【特許文献】
【０００３】
【特許文献１】特開２００８−２７１３１８号公報
【発明の概要】
【発明が解決しようとする課題】
【０００４】
図１１は、従来の下部筐体９０に対する上部筐体８０の位置が固定される状態を説明する図である。下部筐体９０には、用紙に画像を記録する記録装置（不図示）が収容され、上部筐体８０には、原稿Ｓに描かれた画像を読み取る読取ヘッド８２が収容される。上部筐体８０は、鉛直方向Ｄ１０における下部筐体９０の上側に備えられる。
上部筐体８０の内側底部８５には、レール８４が延設方向Ｄ１１に延設される。読取ヘッド８２はイメージセンサー（不図示）などを含んで構成され、読取ヘッド８２にはスペーサー８３が備えられる。スペーサー８３が原稿台８１に当接しながら、読取ヘッド８２がレール８４上を延設方向Ｄ１１に摺動する。
【０００５】
下部筐体９０の上部壁部の延設方向Ｄ１１における一方には、丸穴９１が形成され、上部壁部の延設方向Ｄ１１における他方には、延設方向Ｄ１１に長い長穴９２が形成されている。上部筐体８０の外側底部８６には、ボス８７、ボス８８が形成されている。丸穴９１にボス８７が嵌合することによって、下部筐体９０に対してボス８７を中心とする上部筐体８０の位置が定まり、長穴９２にボス８８が貫通することによって上部筐体８０の回転が規制され、下部筐体９０に対する上部筐体８０の位置が固定される。
【０００６】
下部筐体９０の上部壁部の上部筐体８０側の面は、平面であることが望ましい。しかしながら、図１１に示すように、下部筐体９０の上部壁部が、延設方向Ｄ１１において湾曲して形成される場合がある。下部筐体９０の上部壁部が湾曲していると、丸穴９１に嵌合するボス８７が鉛直方向Ｄ１０に対して傾斜した状態で備えられることになる。そのため、上部筐体８０の内側底部８５に形成されたレール８４が曲がってしまうという課題がある。レール８４が曲がってしまうと、読取ヘッド８２がレール８４上を摺動したとき、読取ヘッド８２と原稿台８１に置かれた原稿Ｓとの距離Ｌ１０が変動してしまうので、読取ヘッド８２によって取得される画像データが劣化する。
【課題を解決するための手段】
【０００７】
本発明は、上述の課題の少なくとも一部を解決するためになされたものであり、以下の形態または適用例として実現することが可能である。
【０００８】
［適用例１］原稿台に載置された原稿を読み取る読取ヘッドが摺動するレールを内側底部に設け、前記レールの延設方向において、中央部に位置する第１の突起部と前記第１の突起部の横に位置する第２の突起部とを外側底部に設けた上部筐体と、上部壁部と前記上部壁部の前記延設方向における両端部に設けられた側壁部とを有し、前記延設方向において、中央部に位置する第１の穴と前記第１の穴の横に位置する第２の穴とを前記上部壁部に設けた下部筐体とを備え、前記第１の突起部が前記第１の穴に挿入することによって前記下部筐体に対する前記延設方向における前記上部筐体の位置が固定され、前記第２の突起部が前記第２の穴に挿入することによって前記下部筐体に対する前記延設方向と交わる方向における前記上部筐体の位置が固定されることを特徴とする複合機。
【０００９】
本適用例によれば、下部筐体に設けられた第１の穴は、レールの延設方向における中央部に位置する。そのため、下部筐体の上部壁部がレールの延設方向において湾曲した形状となった場合においても、第１の穴が鉛直方向に対して傾斜する角度が小さい。これにより、上部筐体に設けられた第１の突起部が第１の穴に挿入した状態において、第１の突起部が鉛直方向に対して傾斜する角度を小さくすることができる。このため、上部筐体における第１の突起部と反対側の内側の底部に形成されたレールが曲がってしまうことを抑制できる。従って、読取ヘッドがレールを摺動したとき、読取ヘッドと原稿台に置かれた原稿との距離の変動を小さくできるので、読取ヘッドによって取得される画像データが劣化することを抑制できる。
【００１０】
［適用例２］前記第１の穴は前記延設方向と交わる方向に長い長穴であり、前記第２の穴は前記延設方向に長い長穴であり、前記第２の穴は前記第１の穴の前記延設方向における両側に備えられることを特徴とする上記複合機。
【００１１】
本適用例によれば、第１の穴である長穴に第１の突起部が挿入することよって延設方向における位置が定まり、第２の穴である長穴に第２の突起部が挿入することによって延設方向と交わる方向における位置が定まる。
【００１２】
［適用例３］前記第１の突起部は円柱形状であり、前記第１の穴は前記第１の突起部が嵌合する丸穴であり、前記第２の穴は前記延設方向に長い長穴であることを特徴とする上記複合機。
【００１３】
本適用例によれば、第１の穴である丸穴に円柱状の第１の突起部が嵌合することよって第１の突起部を中心とする、下部筐体に対する上部筐体の位置が定まり、第２の穴である長穴に第２の突起部が挿入することによって下部筐体に対する上部筐体の回転が規制され、下部筐体に対する上部筐体の位置が定まる。
【００１４】
［適用例４］前記第１の突起部と前記第２の突起部とは、前記延設方向と交わる方向において前記レールから離れた位置に設けられることを特徴とする上記複合機。
【００１５】
本適用例によれば、レールを有する上部筐体を一体に形成するとき、レールが曲がって形成されることを抑制する。
【図面の簡単な説明】
【００１６】
【図１】複合機の外観斜視図。
【図２】（ａ）は、上部筐体と上部筐体の内部構成を示す断面図、（ｂ）は、レールと読取ヘッドを示す斜視図。
【図３】読取装置と下部筐体を示す斜視図。
【図４】鉛直方向における上側から見た下部筐体の斜視図。
【図５】鉛直方向における上側から見た上部筐体の斜視図。
【図６】鉛直方向における下側から見た上部筐体の斜視図。
【図７】（ａ）は、ボスの形状を示す図であり、（ｂ）、（ｃ）は、長穴の形状を示す図。
【図８】下部筐体に対する上部筐体の位置が固定される状態を説明する図。
【図９】第２実施形態における上部筐体の鉛直方向における下側から見た斜視図。
【図１０】第２実施形態における下部筐体の鉛直方向における上側から見た斜視図。
【図１１】従来の下部筐体に対する上部筐体の位置が固定される状態を説明する図。
【発明を実施するための形態】
【００１７】
以下、本発明の実施形態について、図面を参照して説明する。
（第１実施形態）
図１は、本実施形態の複合機１の外観斜視図である。複合機１は、下部筐体３を有する記録装置１７と、記録装置１７の鉛直方向Ｄ１における上側に配置され、上部筐体２を有する読取装置１６とから構成される。
【００１８】
複合機１の正面側には、電源のオン・オフ操作や、印刷条件の設定操作などを行うための操作パネルユニット４が備えられる。また、操作パネルユニット４には、印刷条件の設定内容や操作内容を表示するため、液晶パネルなどによって構成された表示部１０が備えられる。
【００１９】
複合機１の正面側には、使用者によって引き出し可能な用紙カセット５が備えられ、用紙カセット５には、記録媒体としての用紙（不図示）が収納される。また、複合機１の背面側には、用紙（不図示）を載置する用紙サポート６を含んで構成される給紙装置が備えられ、用紙サポート６に載置された用紙は、給紙装置によって記録装置１７の内部に給紙される。
【００２０】
本実施形態の記録装置１７には、インクを噴射する記録ヘッド（不図示）、記録ヘッドを主走査方向に移動させるキャリッジ（不図示）、用紙を副走査方向に搬送するためのローラー（不図示）などの搬送手段が備えられる。
【００２１】
記録装置１７は、搬送される用紙に記録ヘッドからインクを噴射させて、用紙に画像を形成し、開口部１２から排紙する。排紙された用紙は、トレイ１３およびトレイ１３から使用者によって引き出されたスタッカー１４に載置される。
【００２２】
使用者は、取手部１５を持って、正面カバー１１を矢印の方向に回動させ、インクが収容されたインクカートリッジ（不図示）を交換したり、紙ジャムなどによって搬送経路（不図示）に残った用紙を取り出したりすることができる。
【００２３】
図２（ａ）は、延設方向Ｄ２から見た上部筐体２と上部筐体２の内部構成を示す断面図である。図２（ｂ）は、レール２１と読取ヘッド４０を示す斜視図である。上部筐体２の内側底部２２には、レール２１が延設方向Ｄ２に延設される。上部筐体２の鉛直方向Ｄ１における上部には、ガラスなどの透明性を有し、原稿Ｓを載置する原稿台４５が備えられる。
【００２４】
読取ヘッド４０は、原稿Ｓを照射するための光源（不図示）、原稿Ｓからの反射光を結像するためのレンズ（不図示）、結像を光電変換するためのイメージセンサー（不図示）、それらを搭載するキャリッジ（不図示）などから構成される。
【００２５】
読取ヘッド４０のレール２１側には、溝部４１が形成されている。溝部４１の下部はレール２１と摺動可能に当接する。溝部４１には、当接部材４３を備えた付勢部材４２が設けられる。当接部材４３は、レール２１と摺動可能に当接する。
【００２６】
読取ヘッド４０の延設方向Ｄ２と交わる方向における両端部には、樹脂材料からなるスペーサー４４が備えられる。スペーサー４４は、原稿台４５と摺動可能に当接する。
【００２７】
読取ヘッド４０は、レール２１上を延設方向Ｄ２に摺動しながら、原稿台４５に載置された原稿Ｓに描かれた文字や画像を読み取り、画像データとして取得する。
【００２８】
図１の読取装置１６には用紙搬送装置８が備えられ、用紙搬送装置８は、用紙サポート７に載置された原稿Ｓを原稿台４５に搬送し、図２（ａ）の読取ヘッド４０が原稿Ｓの画像を読み取った後に、原稿Ｓをスタッカー９に送って排出する。
【００２９】
図３は、読取装置１６と下部筐体３を示す斜視図である。読取装置１６は、下部筐体３の鉛直方向Ｄ１の上側に備えられる。図４は、図３の読取装置１６を取り除き、鉛直方向Ｄ１における上側から見た下部筐体３の斜視図である。
【００３０】
下部筐体３は、上部壁部３３と、上部壁部３３の延設方向Ｄ２における両端部から鉛直方向Ｄ１における下側に延びる側壁部３４，３５とから構成される。上部壁部３３の延設方向Ｄ２における中央部には、第１の穴である長穴３０が形成される。また、上部壁部３３の延設方向Ｄ２における長穴３０の両側には、第２の穴である長穴３１，３２が形成される。
【００３１】
図５は、鉛直方向Ｄ１における上側から見た上部筐体２の斜視図である。図２（ａ）、（ｂ）を用いて説明したように、図５の上部筐体２の内側底部２２には、延設方向Ｄ２に延びるレール２１が形成される。
【００３２】
図６は、鉛直方向Ｄ１における下側から見た上部筐体２の斜視図である。上部筐体２の外側底部２３の延設方向Ｄ２における中央部には、円柱形状の第１の突起部であるボス４６が設けられる。また、上部筐体２の外側底部２３の延設方向Ｄ２におけるボス４６の両側には、円柱形状の第２の突起部であるボス４７，４８が設けられる。
【００３３】
図２（ａ）に示すように、ボス４６，４７，４８は、延設方向Ｄ２と交わる方向において、レール２１から離れた位置に形成される。
【００３４】
図７（ａ）は、鉛直方向Ｄ１から見たボス４６，４７，４８の形状を示す図であり、図７（ｂ）は、鉛直方向Ｄ１から見た長穴３０の形状を示す図であり、図７（ｃ）は、鉛直方向Ｄ１から見た長穴３１，３２の形状を示す図である。
【００３５】
図７（ｂ）の長穴３０における延設方向Ｄ２と交わる方向の長さＬ３は、延設方向Ｄ２の長さＬ２より長い。長さＬ２は、図４の長穴３０に図６のボス４６が挿入可能な長さであり、図７（ａ）のボス４６の直径Ｌ１と略同じ長さである。
【００３６】
図７（ｃ）の長穴３１，３２における延設方向Ｄ２の長さＬ５は、延設方向Ｄ２と交わる方向の長さＬ４より長い。長さＬ４は、図４の長穴３１，３２に図６のボス４７，４８がそれぞれ挿入可能な長さであり、図７（ａ）のボス４７，４８の直径Ｌ１と略同じ長さである。
【００３７】
図８は、下部筐体３に対する上部筐体２の位置が固定される状態を説明する図である。上部筐体２の外側底部２３に設けられたボス４６，４７，４８が、下部筐体３に設けられた長穴３０，３１，３２にそれぞれ挿入することによって、下部筐体３に対する上部筐体２の位置が固定される。
【００３８】
図８に示すように、下部筐体３における上部壁部３３が延設方向Ｄ２において湾曲していても、ボス４６と、ボス４６が挿入する長穴３０は、延設方向Ｄ２における中央部に形成されている。そのため、ボス４６が長穴３０に挿入した状態において、鉛直方向Ｄ１に対してボス４６が傾斜する角度を小さくすることができる。
【００３９】
以上、説明した複合機１は、図２の原稿台４５に載置された原稿Ｓを読み取る読取ヘッド４０と、読取ヘッド４０が摺動するレール２１を内側底部２２に設け、レール２１の延設方向Ｄ２において、中央部に位置する第１の突起部であるボス４６とボス４６の横に位置する第２の突起部であるボス４７，４８とを外側底部２３に設けた上部筐体２と、上部壁部３３と上部壁部３３の延設方向Ｄ２における両端部に設けられた側壁部３４，３５とを有し、延設方向Ｄ２において、中央部に位置する第１の穴である長穴３０と長穴３０の横に位置する第２の穴である長穴３１，３２とを上部壁部３３に設けた下部筐体３とを備え、ボス４６が長穴３０に挿入することによって下部筐体３に対する延設方向Ｄ２における上部筐体２の位置が固定され、ボス４７，４８が長穴３１，３２に挿入することによって下部筐体３に対する延設方向Ｄ２と交わる方向における上部筐体２の位置が固定される。
【００４０】
この構成によれば、下部筐体３に設けられた長穴３０は、レール２１の延設方向Ｄ２における中央部に位置する。そのため、下部筐体３の上部壁部３３がレール２１の延設方向Ｄ２において湾曲した形状であっても、長穴３０が鉛直方向Ｄ１に対して傾斜する角度が小さい。これにより、図８の上部筐体２に設けられたボス４６が長穴３０に挿入した状態において、ボス４６が鉛直方向Ｄ１に対して傾斜する角度を小さくすることができる。このため、上部筐体２におけるボス４６と反対側の内側底部２２に形成されたレール２１が曲がってしまうことを抑制できる。従って、読取ヘッド４０がレール２１を摺動したとき、読取ヘッド４０と原稿台４５に置かれた原稿Ｓとの距離Ｌ６の変動を小さくできるので、読取ヘッド４０によって取得される画像データが劣化することを抑制できる。
【００４１】
本実施形態では、図８の上部壁部３３が鉛直方向Ｄ１の上側に凸状である湾曲した状態において説明したが、上部壁部３３が鉛直方向Ｄ１の下側に凸状である湾曲した状態においても、長穴３０が鉛直方向Ｄ１に対して傾斜する角度が小さいので、ボス４６が鉛直方向Ｄ１に対して傾斜する角度を小さくすることができる。
【００４２】
また、図７（ｂ）の第１の穴は延設方向Ｄ２と交わる方向に長い長穴３０であり、図７（ｃ）の第２の穴は延設方向Ｄ２に長い長穴３１，３２であり、図４の長穴３１，３２は長穴３０の延設方向Ｄ２における両側に備えられる。
【００４３】
この構成によれば、長穴３０にボス４６が挿入することよって延設方向Ｄ２における位置が定まり、長穴３１，３２にボス４７，４８が挿入することによって延設方向Ｄ２と交わる方向における位置が定まる。
【００４４】
また、ボス４６，４７，４８は、延設方向Ｄ２と交わる方向においてレール２１から離れた位置に設けられる。これにより、レール２１を有する上部筐体２を一体に形成するとき、レール２１が曲がって形成されることを抑制する。
【００４５】
（第２実施形態）
第１実施形態では、第１の穴は延設方向Ｄ２と交わる方向に長い長穴３０を設けたが、第２実施形態では、第１の穴としての丸穴を設けた複合機について説明する。
【００４６】
図９は、第２実施形態における上部筐体２ａの鉛直方向Ｄ１における下側から見た斜視図である。上部筐体２ａの延設方向Ｄ２における中央部には、第１の突起部である円柱形状のボス４６が設けられる。また、上部筐体２ａの延設方向Ｄ２における片側には、第２の突起部である円柱形状のボス４８が設けられる。
【００４７】
図１０は、第２実施形態における下部筐体３ａの鉛直方向Ｄ１における上側から見た斜視図である。下部筐体３ａは、上部壁部３３ａと、上部壁部３３ａの延設方向Ｄ２における両端部から鉛直方向Ｄ１における下側に延びる側壁部３４，３５とから構成される。
【００４８】
下部筐体３ａにおける上部壁部３３ａの延設方向Ｄ２における中央部には、第１の穴である丸穴５０が設けられる。また、下部筐体３ａの延設方向Ｄ２における片側には、第２の穴である延設方向Ｄ２に長い長穴５１が設けられる。ボス４６が丸穴５０に嵌合し、ボス４８が長穴５１に挿入する。
【００４９】
この構成によれば、丸穴５０にボス４６が嵌合することよって、下部筐体３ａに対するボス４６を中心とする上部筐体２ａの位置が定まる。また、長穴５１にボス４８が挿入することによって下部筐体３ａに対する上部筐体２ａの回転が規制され、下部筐体３ａに対する上部筐体２ａの位置が定まる。
【００５０】
第１実施形態、第２実施形態では、インクを噴射する記録ヘッドを備えたインクジェット式の記録装置１７について説明したが、本発明は、レーザーなどを感光体に照射させて文字や画像を形成する電子写真方式の記録装置にも適用する。
【符号の説明】
【００５１】
１…複合機、２，２ａ…上部筐体、３，３ａ…下部筐体、２１…レール、２２…内側底部、２３…外側底部、３０，３１，３２…長穴、３３，３３ａ…上部壁部、３４，３５…側壁部、４０…読取ヘッド、４５…原稿台、４６，４７，４８…ボス、５０…丸穴、５１…長穴、Ｄ２…延設方向、Ｓ…原稿。
【図１】
2012244325.tif 000003
【図２】
2012244325.tif 000004
【図３】
2012244325.tif 000005
【図４】
2012244325.tif 000006
【図５】
2012244325.tif 000007
【図６】
2012244325.tif 000008
【図７】
2012244325.tif 000009
【図８】
2012244325.tif 000010
【図９】
2012244325.tif 000011
【図１０】
2012244325.tif 000012
【図１１】
2012244325.tif 000013